(57)【特許請求の範囲】
【請求項１】
フロントカバーを臨ませる前面開口部を有し、かつ給湯器を覆って防寒する給湯器防寒室と、給湯器の配管部分を覆って防寒する配管防寒室とを一体に備え、
前記給湯器防寒室の前面開口部に臨ませる給湯器のフロントカバーと、かつ該フロントカバーの周面に前記給湯器防寒室に嵌めつけるフランジ部を有するカバー枠を備え、
上記給湯器防寒室とフロントカバーと配管防寒室の内側に保温材を設けてユニット化された防寒ケーシングで給湯器とその配管部分を覆った防寒手段を備えたことを特徴とする給湯装置。
【請求項２】
上記給湯器の配管部分に接続される壁貫通配管部を配管が筒状体に保温材を介在して挿通固定されたユニット状の構造体に形成した請求項１記載の給湯装置。
【請求項３】
上記壁貫通配管部は伸縮可能となっている請求項２記載の給湯装置。
【発明の詳細な説明】
【０００１】
【発明の属する技術分野】
この発明は、比較的寒い地域においても凍結のおそれ及び凍結防止のためのランニングコストが少なく、施工性にもすぐれた屋外設置式の給湯装置に関する。
【０００２】
【従来の技術】
従来、給湯器を比較的寒い地域において屋外設置する場合、たとえば、図１４に示されているように、給湯器Ｂ′側に図示しないが凍結防止用ヒータと凍結防止用ヒータを制御するサーモスタットを内蔵し、接続配管Ｃ′側には市販の凍結防止用ヒータ２３′を巻きつけ、これを保温材２６′で覆う防寒施工を施し、かつ、厳寒時や長期不在時等には水抜栓Ｖ1 ′を開いて水抜き作業を行って凍結を防止している（以上の従来の給湯器を以下単に従来例１という）。また、凍結防止の保温状態を高めるために、たとえば、図１５に示されているように、給湯器Ｂ′とその配管部分Ｃ′を特別に作られた小屋Ａ′内に設置する方策も採られている（以上の従来の防寒手段を以下単に従来例２という）。
【０００３】
上記給湯器Ｂ′の設置にあたり、壁Ｄ′を隔てて屋外側から屋内側に至る壁貫通部Ｈ′の配管工事には、設置現場において屋外から屋内までの接続配管距離を計測しその長さの配管を作るとともに、水抜きに必要な傾斜角度及び保温手段も施工者の現場での判断によって併せ行っているのが現状である（以上の従来の壁貫通配管手段を以下単に従来例３という）。
【０００４】
【発明が解決しようとする課題】
しかしながら、上記従来例１には次の１〜８に記載するような多くの問題点があった。
１  給湯器の内部はバックカバーとフロントカバーからなる１枚の鉄板製ケーシングで覆われているに過ぎないから、凍結防止用ヒータの放熱が大きい。
２  凍結防止用ヒータを制御するサーモスタットを給湯器内部の雰囲気温度又は水温検知でＯＮ−ＯＦＦ制御しているが放熱ロスが大きいため、ＯＮ動作時間が長くランニングコストが高くなったり、過大なヒータ容量を要する。
３  壁掛け設置の場合、給湯器の背面と壁の間とに１０ｍｍの隙間を設けて外気による通風が可能な状態に設置する必要があるため、この隙間からの放熱ロスも著しく、また、隙間に風雪が入り込んだり、雪どけ水が凍って膨張し給湯器の固定板と建物に応力がかかる。
４  接続配管側の市販の凍結防止用ヒータは通常サーモスタット付きのものが多く出まわっているが、サーモスタットのセット位置は施工者の判断によるものであるため、そのセット位置により凍結防止が確実に行われない場合がある。また、ヒータの巻きつけが適切でない場合も同様である。
５  接続配管側の保温工事も現場の施工者の判断によるものであるため、その施工方法が適切でない場合があり、たとえば、給湯器と配管を接続する接手、フレキシブル管、エルボ、給水止水栓、巻き付けたヒータにより表面が凹凸となり保温工事での保温材との密着度の向上が難しく隙間ができると、よって、その隙間からの冷気の侵入により保温性が著しく低下する。
６  給湯器側の凍結防止用ヒータと接続配管側の凍結防止用ヒータとが別々に設けられているので、接続配管側のヒータ故障、たとえば、ショートや漏電が起きた場合、故障不明のまま接続配管が凍結に至ってしまう。
７  現行の追焚き部を備えた給湯器は、追焚きポンプで循環させて風呂側の通水路の凍結防止を行うのが一般的であるが、厳冬の場合はポンプ作動が多くなるため、ポンプ音がうるさく、電気代も嵩む。
８  従来例１の施工には次の施工工程を要する
ａ  給湯器を設置する壁位置の決定
ｂ  接続配管を考慮した壁貫通配管用の壁穴をあける
ｃ  屋内側の配管工事を行う
ｄ  屋内から屋外までの接続配管距離を計測しその長さの配管を作り、配管工事を行う、その後、穴埋めコーキング
ｅ  屋外配管継手類（エルボ、ニップル、給水止水栓等）の接続
ｆ  給湯器を壁に掛けビス等で固定する
ｇ  給湯器の接手と配管継手の末端部をフレキシブル管で接続する
ｈ  屋外配管類に凍結防止用ヒータを巻きつける
ｉ  その上より保温材を巻きつける
ｊ  給湯器のフロントカバー（前板）を外しリモコン配線を結線する
ｋ  給湯器のフロントカバーを取りつける
等のように施工工程が非常に多い。
【０００５】
また、従来例２には次の１〜４に記載するような問題点があった。
１  給湯器とその配管部分を小屋で囲っているだけであるから、小屋により直接の風雪は防ぐものの、給湯器が燃焼するために必要な給排気孔を小屋に設ける必要があるため、この給排気孔から冷気が侵入し保温性能は全く有しない。若し、仮に保温材等で保温処理しても保温性能は余り期待できない。
２  給排気孔による保温性能の低下を防止するために給排気孔を他の部分と仕切る等の密閉構造にするには構造が極めて複雑化する。
３  小屋は給湯器とその配管部分を囲うだけのものであるため、給湯器の配管接続部のガス元栓を緊急時に速やかに止めることができない。すなわち、緊急時にはビス止めされている前板を外してガス元栓を閉めることになる。また、給湯器をメンテナンスする場合にも同様に前板を外す必要があり面倒である。
４  給湯器とその接続配管部が小屋内に入っており、水抜栓が最下点でないため、水抜き作業をした場合、小屋のまわりや底板、配管保温材が水びたしになる。そこで、水を受ける受皿が必要となる。
【０００６】
さらに、従来例３では、壁貫通部Ｈ′の配管施工がその配管工事と保温工事を現場での施工者の判断により各別に行うものであるため、壁貫通部Ｈ′の配管施工には水抜き用の傾斜が必要なことと相まって多大の手間と技術を要し、また、施工者の判断によるものであるから、配管及び保温の施工法が適切でないために凍結、漏水、水抜き不良等の不具合が生ずることがあるという問題点があった。
【０００７】
この発明の給湯装置は上記課題を解決し寒冷地においても凍結のおそれ及びランニングコストの少ない施工性にもすぐれた給湯装置の提供を目的としている。
【０００８】
【課題を解決するための手段】
上記課題を解決するこの発明の第１の給湯装置は、
フロントカバーを臨ませる前面開口部を有し、かつ給湯器を覆って防寒する給湯器防寒室と、給湯器の配管部分を覆って防寒する配管防寒室とを一体に備え、
前記給湯器防寒室の前面開口部に臨ませる給湯器のフロントカバーと、かつ該フロントカバーの周面に前記給湯器防寒室に嵌めつけるフランジ部を有するカバー枠を備え、
上記給湯器防寒室とフロントカバーと配管防寒室の内側に保温材を設けてユニット化された防寒ケーシングで給湯器とその配管部分を覆った防寒手段を備えた構成を要旨とする。
上記構成を有するこの発明の第１の給湯装置は、給湯器とその配管部分が保温性にすぐれた防寒ケーシングで覆われ外気と遮断されるため、寒冷地においても凍結のおそれはない。また、防寒ケーシングが予めユニット化された構造体となっているから、施工性にもすぐれている。
【０００９】
上記課題を解決するこの発明の第２の給湯装置は、
上記第１の給湯装置であって、その配管部分に接続される壁貫通配管部を配管が筒状体に保温材を介在して挿通固定されたユニット状の構造体に形成したことを要旨とする。
上記構成を有するこの発明の第２の給湯装置は、壁貫通配管部が保温処理されたユニット状の構造体となっているから、その位置決め、配管接続、水抜き勾配等の現地作業が容易に行いうる。
【００１０】
上記課題を解決するこの発明の第３の給湯装置は、
上記壁貫通配管部は伸縮可能となっていることを要旨とする。
上記構成を有するこの発明の第３の給湯装置は、配管を伸縮させて壁厚等と壁貫通配管部の長さとの寸法誤差が吸収できる。
【００１１】
【発明の実施の形態】
給湯器を覆って防寒する給湯器防寒室を上部に有し、その下部には給湯器の配管部分を覆って防寒する配管防寒室を連続的に一体形成し、上記給湯器防寒室と配管防寒室の内壁に保温材を貼設した箱状の防寒ケーシングで給湯器とその配管部分の外面を覆ってこれらを断熱防寒する構成となすことにより、給湯器とその配管部分を防寒ケーシングで外気と遮断する。また、上記箱状の防寒ケーシングは予めユニット化された構造体となしている。
【００１２】
上記給湯器の配管部分に接続される壁貫通配管部は配管を筒状体に保温材を介在して挿通固定されたユニット状の構造体に形成され、上記ユニット状壁貫通配管部の配管を伸縮可能として屋内側から屋外側への配管接続に便利としている。
【００１３】
以上この発明の実施の形態の一例について説明したが、この発明はこうした実施の形態に何ら限定されるものではなく、この発明の要旨を逸脱しない範囲において様々な形態で実施しうること勿論である。
【００１４】
以上説明したこの発明の構成、作用及び実施の形態を一層明確にするために、この発明の給湯装置を具体的に示した実施例について図面を参照して説明する。
【００１５】
【実施例】
図面において、Ａは防寒ケーシングで、給湯器Ｂを覆って防寒する給湯器防寒室１を上部に有し、その下部には上記給湯器Ｂの配管部分Ｃを覆って防寒する配管防寒室２が連続的に一体形成され、給湯器防寒室１と配管防寒室２の前面は開口され、かつ、上記給湯器防寒室１と配管防寒室２の内壁には保温材３を貼設して全体をユニット化した箱状に構成されている（図８〜図１１参照）。上記保温材３は給湯器防寒室１の天板と配管防寒室２の底板及び両室１、２の両側板の内面に、たとえば、片面はがし紙付き接着剤（両面テープ貼付）を裏面に備えた各々の貼りつけ面に適合する大きさの保温板を隙間なく貼りつけて設けるとともに、後述する配管防寒室２の開閉扉８にも同様に取付けて保温性をよくするものである。また、後述するフロントカバー５の裏面にも貼設されている。
【００１６】
上記箱状防寒ケーシングＡの給湯器防寒室１の前面開口部４には給湯器Ｂのフロントカバー５を臨ませて、この前面開口部４はフロントカバー５で密閉するものであり、また、配管防寒室２の前面開口部７には片開き状の開閉扉８を備えて、この前面開口部７は開閉自在となすものである。また、防寒ケーシングＡの背面上端中央に防寒ケーシングＡを設置用壁Ｄに取付け設置するための取付け板９を備え、給湯器防寒室１の前面上端中央と下部両側及び下部背面中央に給湯器Ｂを取付け設置するための取付け座１０、１１、１１及び取付けボルト１２を備えている（図７、８及び図１０（ハ）参照）。
【００１７】
給湯器Ｂのバックカバー１３の前面上端中央と下端両側及び下端背面中央に上記給湯器防寒室１の取付け座１０、１１、１１及び取付けボルト１２に取付ける取付け片１４、１５、１５及びブラケット１６を備えている（図７、８及び図１０（ロ）参照）。また、給湯器Ｂのフロントカバー５の前面に給湯器Ｂの燃焼に必要な給気口１７と排気口１８を備え、かつ、周面には上辺と両側辺に給湯器防寒室１の上辺と両側辺に嵌めつけうるフランジ部１９ａを有するカバー枠１９を備えている（図７、８及び図１０（イ）参照）。しかし、上記カバー枠１９はフロントカバー５のフランジ部５ａを外方へ延長して一体形成してもよい（図１３参照）。
【００１８】
上記構成において、防寒ケーシングＡと、バックカバー１３に給湯機能部を内蔵した給湯器本体Ｅ（給湯器Ｂのフロントカバー５を外したもの）と、給湯器Ｂの配管部分Ｃとは予め組み付けて一体化するものである。すなわち、給湯器本体Ｅに配管部分Ｃを備えたものを防寒ケーシングＡの給湯器防寒室１に給湯器本体Ｅを、また、配管防寒室２には配管部分Ｃをそれぞれの前面開口部４、７から収納して給湯器防寒室１の取付け座１０、１１、１１にバックカバー１３の取付け片１４、１５、１５をビス１４ａ、１５ａ、１５ａで止めるとともに、給湯器防寒室１の取付けボルト１２にバックカバー１３のブラケット１６をナット１６ａで締付けることにより、給湯器防寒室１内に給湯器本体Ｅが取付け設置されると同時に、配管防寒室２には配管部分Ｃが収納配置されて、これらは一体的に組み付けられる。
【００１９】
上記防寒ケーシングＡと給湯器本体Ｅ及び配管部分Ｃとが一体化されたものを給湯器を設置する壁Ｄの所定位置の外面に防寒ケーシングＡに備えた取付け板９により取付け設置する。その後、フロントカバー５を給湯器防寒室１の前面開口部４に臨ませてそのカバー枠１９とともに給湯器本体Ｅに取付けることにより、前面開口部４をフロントカバー５で密閉する。すなわち、カバー枠１９のフランジ部１９ａを給湯器防寒室１の上辺と両側辺にシール材としてのパッキン６を介して嵌めつけるとともに、フロントカバー５のフランジ部５ａをバックカバー１３の前面にシール材６を介して嵌めつけ、フロントカバー５のフランジ部５ａをカバー枠１９とともにバックカバー１３にビス１３ａで止めることにより、給湯器本体Ｅに対するフロントカバー５の取付けができる。
【００２０】
その後、配管部分Ｃを後述する壁貫通配管部Ｈに接続し、配管防寒室２の前面開口部７に備えた開閉扉８を閉めれば、設置用壁Ｄに対する給湯器Ｂの防寒設置は完了する。
【００２１】
上記配管部分Ｃは、たとえば、図３、図４及び図１１に示されている追焚き部付きの場合には、給湯器本体Ｅの接手３０と後述する給湯器側の水抜き本体３２とが可撓管３４で接続され、また、追焚き部Ｆの接手３１と後述する追焚き部側水抜き本体３３とが可撓管３５で接続され、それぞれの可撓管３４、３５の外面には保温材３６、３７を施した防寒構造となっている。
【００２２】
上記壁貫通配管部Ｈは、給湯器Ｂだけの場合は、たとえば、図５及び図６に示されているように、給水管２０ａと給湯管２０ｂが保温材５５で包むか又はパッキングを介在してフランジ５７付きの１つの筒状体５６に挿通して固定されたユニット状の構造体に形成されている。追焚き部付きの場合は、図２に示されているように、風呂往き管２０ｃと風呂戻り管２０ｄも同様の構造体とするものである。また、追焚き部を備えた給湯装置においては、壁貫通配管部Ｈの配管における追焚き部側の風呂往き管２０ｃと風呂戻り管２０ｄの屋内側接続端部２０１ｂ、２０１ｄの先端にネジ切り部２１ｂ、２１ｄを設け、また、給湯器側の給水管２０ａと給湯管２０ｂの屋内側接続端部２０１ａ、２０１ｂの先端にも同様にネジ切り部を設けて配管接続に便利としている。
【００２３】
上記壁貫通配管部Ｈの給水管２０ａと給湯管２０ｂ及び風呂往き管２０ｃと風呂戻り管２０ｄをスライド式に伸縮自在として壁Ｄの厚さ等と壁Ｄを貫通する配管の長さとの誤差が吸収できるようにしている。たとえば、図５及び図６に示されているように、給水管２０ａの屋外側の端部を、大径管２０２ａに小径管２０２ｂをスライド可能に挿入して接続した構造とし、壁貫通配管と配管部分Ｃ及び屋内配管５５との接続を容易としている。
【００２４】
上記構成とした壁貫通配管部Ｈは、ユニット化されているので、その施工が保温処理された形での位置決め、配管接続、水抜き勾配ｔ、隙間埋め等の現地作業が容易である。
【００２５】
上記給湯装置において、給湯器Ｂ側に備えた器具側凍結防止用ヒータ２２と配管部分Ｃに備えた配管側凍結防止用ヒータ２３はそれぞれ並列に接続され、メインサーモスタット２４は配管部分Ｃの所定位置に電源２５と直列に接続して固定され、また、給湯器Ｂの所定位置にも給湯器Ｂの器具側凍結防止用ヒータ２２と直列に接続された別のサブサーモスタット２６が固定されている。追焚き部Ｆを備えた給湯装置の場合は追焚き通水路に備えた凍結防止用ヒータ２７は給湯器Ｂの器具側凍結防止用ヒータ２２と並列に接続され、給湯器Ｂ側と追焚き部Ｆ側の双方を制御する形でサーモスタットが接続固定されている。上記各々の凍結防止用ヒータの回路構成は給湯器の制御回路Ｇと並列に接続され、その電源側にヒューズ２８、漏電ブレーカ２９を設けている（図１１及び図１２参照）。なお、上記各々の凍結防止用ヒータには碍子で覆われたヒータを用い、該凍結防止用ヒータを給湯器Ｂ及び配管部分Ｃの銅管等にはワンタッチの接続クリップを用いて取付け、その他の部位には取付板を用いてビス止めして取付けるものである。
【００２６】
給湯器Ｂの配管部分Ｃと壁貫通配管部Ｈを接続する部位の最下点には水抜き本体が設けられ、給湯器Ｂだけの給湯装置の場合は、給水側３８と給湯側の２つの経路を１つの水抜栓に接続した給湯器側の水抜き本体３２を備え（図１、４及び図１１参照）、追焚き部Ｆを備えた給湯装置の場合は、上記給湯器側の水抜き本体３２とは別に風呂往き側と風呂戻り側４１の２つの経路を１つの水抜栓に接続した追焚き部側の水抜き本体３３を備えている（図１、４及び図１１参照）。なお、給湯装置において、ポンプ、電磁弁、逆止弁等を有するものには水だまり部分の水抜きをするための水抜栓があるが、この部分も上記水抜本体に接続すればその水抜きが可能である。
【００２７】
上記水抜き本体３２、３３の排水口に可撓排水管４４、４５を接続して防寒ケーシングＡ外に導けば、上記水抜き水のすべてを防寒ケーシングＡ外に排出できる。したがって、水抜き水で防寒ケーシングＡ内を濡らすことはない。
【００２８】
以上説明したこの発明の給湯装置は、次の手順で施工する。
ａ  給湯器を設置する壁位置の決定
ｂ  接続配管を考慮した壁貫通配管用の壁穴をあける
ｃ  屋内側の配管工事を行う
ｄ  屋内側よりユニット化された壁貫通配管部を壁穴に挿通し、位置決め固定して隙間をコーキングで埋める
ｅ  予め一体化された防寒ケーシングと給湯器本体及び配管部分を所定の壁に取付け設置し、配管部分と壁貫通配管部を接続する
ｆ  リモコン結線コネクターを接続する
で完了する。
したがって、施工手順が極めて少なく施工性にすぐれている。
【００２９】
図中、Ｖ3 は給水止水栓、Ｖ4 はガス元栓、４６はリモコンケーブル、４７は開閉扉８の蝶番、４８は鍵、４９は防寒ケーシングＡの配管防寒室２の背面に穿った開口窓で、上記リモコンケーブル４６の電気配線、壁貫通部の施工、コーキング等の穴埋め作業等がこの開口窓４９から容易に行いうるものである。また、Ｖ5 は吸気弁、５０は追焚き部Ｆの熱交換器、５１は給湯器Ｂの熱交換器、５２は浴槽、Ｖ6 は給湯蛇口、Ｖ7 は元水抜栓、５３は給水元管、５４は点検ハッチである。
【００３０】
【発明の効果】
以上説明したこの発明の第１の給湯装置は、給湯器防寒室と配管防寒室の内側に保温材を設け、給湯器のフロントカバーの内側にも保温材を備え、しかもフロントカバーとともにフランジ部を有するカバー枠を給湯器防寒室に嵌めつけて密閉できるので、給湯器とその配管部分が保温性にすぐれた防寒ケーシングで覆われ外気と遮断でき、比較的寒い地域において屋外設置しても冷気の侵入はなく、熱損失や雪害の影響が少ない。したがって、凍結防止用ヒータの外部への放熱が減って保温性がよいばかりでなく、凍結防止用ヒータの容量及びランニングコストも低減される。また、厳寒時においての凍結に至る最低温度に余裕ができ、停電時においても放熱の減少により凍結に至るまでの時間が延長されるため、通常の停電時間であれば凍結のおそれはない。
また、防寒ケーシングが予めユニット化された箱状の構造体となっており、この防寒ケーシングと給湯器本体及び配管部分は予め組み付けて容易に一体化できるから、取付け設置が容易となり施工性にすぐれている。
【００３１】
この発明の第２の給湯装置は、壁貫通配管部が保温処理されたユニット状の構造体となっているから、その位置決め、配管接続、水抜き勾配等の現地作業が容易に行い得て施工性にすぐれている。
【００３２】
この発明の第３の給湯装置は、壁貫通配管部の配管が伸縮可能となっているから、壁厚等と壁貫通配管部の長さとの寸法誤差が吸収でき配管接続部のフレキや水抜管にストレスを加えることなく接続可能である。
【図面の簡単な説明】
【図１】この発明の給湯装置の設置状態の一例を示したシステム図である。
【図２】この発明の給湯装置の一実施例を示した全体背面図である。
【図３】設置状態の一部切断全体側面図である。
【図４】配管防寒室の前面扉を開いた一部切欠全体正面図である。
【図５】壁貫通配管部の給湯器側を示した一部切断側面図である。
【図６】壁貫通配管部の給湯器側を示した一部切断仰視図である。
【図７】要部だけの一部切欠正面図である。
【図８】要部だけの一部切断側面図である。
【図９】要部だけの横断平面図である。
【図１０】要部だけの分解斜視図である。
【図１１】凍結防止用ヒータとサーモスタットを配設した開閉扉とフロントカバーを取外した全体正面図である。
【図１２】凍結防止用ヒータとサーモスタットの結線図である。
【図１３】防寒ケーシングの給湯器防寒室に対する給湯器の取付け関係の異なる実施例の要部だけの横断平面図である。
【図１４】従来例１の一部切断全体側面図である。
【図１５】従来例２の一部切断全体側面図である。
【符号の説明】
Ａ…防寒ケーシング、Ｂ…給湯器、Ｃ…配管部分、１…給湯器防寒室、２…配管防寒室、３…保温材、Ｈ…壁貫通配管部
【図１】
0003687810.tif 000002
【図２】
0003687810.tif 000003
【図３】
0003687810.tif 000004
【図４】
0003687810.tif 000005
【図５】
0003687810.tif 000006
【図６】
0003687810.tif 000007
【図７】
0003687810.tif 000008
【図８】
0003687810.tif 000009
【図９】
0003687810.tif 000010
【図１０】
0003687810.tif 000011
【図１１】
0003687810.tif 000012
【図１２】
0003687810.tif 000013
【図１３】
0003687810.tif 000014
【図１４】
0003687810.tif 000015
【図１５】
0003687810.tif 000016